(57)【要約】【課題】切削部を患部の微小部位に安定的に留めて、研削、治療を視野の大きい環境で実施可能にする。【解決手段】ハンドピースに装着して歯牙を研削するのに使用する研削バー　において、ハンドピースに装着されるシャンク部１２と、シャンク部１２に連続して設けられたテーパ状のネック部１３と、このネック部１３に連続して設けられて当該ネック部１３より細くて長いロッド部Ｂと、このロッド部Ｂの先端にダイヤモンド粒子が固着されて形成された矢尻状又はコマ状の切削部１５とで構成されている。【選択図】　　　　図１
2004016400.tif 000002
【特許請求の範囲】
【請求項１】
ハンドピースに装着して歯牙を研削するのに使用する研削バーにおいて、ハンドピースに装着されるシャンク部１２と、シャンク部１２に連続して設けられたテーパ状のネック部１３と、このネック部１３に連続して設けられて当該ネック部１３より細くて長いロッド部Ｂと、このロッド部Ｂの先端にダイヤモンド粒子が固着されて形成された矢尻状又はコマ状の切削部１５とで構成されていることを特徴とする研削バー。
【請求項２】
切削部の外径が０．４〜０．６ミリメートル、長さが０．４〜０．６ミリメートル、先端の円錐角度が６０度〜１２０度の範囲で成形されている請求項１に記載の研削バー。
【請求項３】
切削部１５の外径が０．４７ミリメートル、長さが０．４７ミリメートル、先端の円錐角度が９０度で成形されている請求項１に記載の研削バー。
【請求項４】
ロッド部Ｂが先端に向けて収斂するテーパを形成した単一の先細のシャフト１３ｂで構成されている請求項１に記載の研削バー。
【請求項５】
ロッド部Ｂが先端に向けて収斂するテーパを形成したシャフト１３ｃとこのシャフト１３ｃに連続するストレートなシャフト１３ｄとで構成されている請求項１に記載の研削バー。
【請求項６】
ロッド部Ｂがストレートな細長い単一のシャフト１３ｅで構成されている請求項１に記載の研削バー。
【発明の詳細な説明】
【０００１】
【発明の属する技術分野】
本発明は、歯科用ハンドピースに装着して、歯牙を研削、治療するのに用いる研削バーに関する。
【０００２】
【従来の技術】
歯科治療においては、ミュータンス菌などによって破壊された歯牙硬組織をダイヤモンドバーの使用で切削している。
【０００３】
このダイヤモンドバーには、使用用途に応じたいろいろのタイプがあり、例えば、図８，図９，図１０に示すものが知られている。
【０００４】
図８は、このような従来の小形化したラウンド型のダイヤモンドバーを示すもので、このダイヤモンドバーは、ハンドピースに装着されるシャンク部１と、このシャンク部１に連続し先端に向ってテーパ状に小径化したネック部２と、このネック部２に連続する先端の球状部３と、この球状部３の外周全体にダイヤモンド粒子を固着させた切削部４とで構成されている。
【０００５】
また、図９は、従来の他のダイヤモンドバーを示し、これはシャンク部５と、このシャンク部５に連続して先端に円錐部６ａを有するテーパ部６と、このテーパ部６の周面にダイヤモンド粒子を固着させた切削部７とで構成されている。
【０００６】
同じく、図１０は、従来のさらに他のダイヤモンドバーを示し、これはシャンク部８と、このシャンク部８に連設された短いテーパのネック部９と、このネック部９に接続されてシャンク部８より小径の丸棒状のシャフト部１０と、このシャフト部１０の周面にダイヤモンド粒子を固着させた切削部１１とで構成されている。
【０００７】
【発明が解決しようとする課題】
しかしながら従来の研削バーとしてのダイヤモンドバーは、次のような不具合がある。
【０００８】
即ち、図８に示すものにあっては、切削部４が球形であることにより、歯牙に対する接触面が不安定であることから、例えば、歯冠部の細かい裂溝などの極く狭い治療部位を正確に捉えることができず、特に、研削する際に切削部４が硬い歯面で滑ってしまうことがありブレてしまい治療が必要な部位以外の余分な部位まで研削してしまうという、正確性、安全性、求心性等を総合した定位が不十分であるという問題があった。
【０００９】
この点については、単に球径を小さくするだけでは解決のつかない問題である。
【００１０】
また、治療部位に切削部４を位置合わせするとき、ダイヤモンドバーが球形である為に起る滑りやブレを防ぐ為にハンドピースを握る指に余分な力が入ってしまい、これが歯科医にとって心理的に大きなストレスを与えている。
【００１１】
また、図８に示すような球状の切削部４を持ったダイヤモンドバーは、歯牙を削り込む際に、上記のように歯科用ハンドピースを指先に強い力を加えて操作する必要から、カリエス部とカリエス部でない部分との違いを指先で感じとることが難しく、削り込み量を適正に判断することが困難になるという問題があった。
【００１２】
健全な歯牙硬組織では、エナメル質ヌープ硬度は５．５であるが、カリエスの進行と共に順次硬度が低下する性質がある。
【００１３】
従って、切削部が治療部位を的確に捉えブレることなく研削することが出来れば、歯科医は心理的なストレスから開放されると共に、この硬度の違いを指先で明確に感じとることが出来ることとなる。
【００１４】
また、図９および図１０に示すダイヤモンドバーにあっては、切削部７，１１は外径が太く、軸方向に長いことから小さい治療部位を正確に捉えることが出来ず、余分な部位まで切削する恐れがある。
【００１５】
特に、口腔の外から口腔内への視界を妨げて歯牙の治療や処置がしにくくなり、結果的に不必要に広い面積で歯牙を研削してしまうものである。
【００１６】
これらのバーは、基本的には歯冠の一部又は全部を金属やセラミックに置き換える為のバーであり、その目的の為に健全な歯冠を切削することもやむなしとするものである。
【００１７】
また、隣り合う歯牙間の一部のカリエス部を治療する場合にも、切削部７、１１先端の径が大きいためこれらが限局した歯牙間のカリエス部に到達しにくく、また定位が難しいため歯を余分に研削してしまうという危険性が高かった。
【００１８】
従って、世界の歯科界においては、歯牙硬組織に対しては最小限の侵襲に留めるべきとの考えにもとづく歯科医学が提唱されているにもかかわらず従来のバーではこの提唱に対応出来ないという問題がある。
【００１９】
そこで、本発明の目的は、歯牙の治療部位に切削部を当てたときにこの指定した治療部位の１点に安定して留まることが出来、かつ連続的な切削が可能となることで微小範囲の患部のみを最小限の研削にて除去出来るとともに、口腔外から口腔内への視界を十分に確保し歯牙の硬度の違いを捉えやすくすることによって確実かつ簡単にカリエス部のみの研削および治療をすることができる研削バーを提供することである。
【００２０】
【課題を解決するための手段】
上記目的達成のために、本発明の手段は、ハンドピースに装着して歯牙を研削するのに使用する研削バーにおいて、ハンドピースに装着されるシャンク部と、シャンク部に連続して設けられたテーパ状のネック部と、このネック部に連続して設けられて当該ネック部より細くて長いロッド部と、このロッド部の先端にダイヤモンド粒子が固着されて形成された矢尻状又はコマ状の切削部とで構成されていることを特徴とする。
【００２１】
この場合、切削部の外径が０．４〜０．６ミリメートル、長さが０．４〜０．６ミリメートル、先端の円錐角度が６０度〜１２０度の範囲で成形されているが、特に、切削部１５の外径が０．４７ミリメートル、長さが０．４７ミリメートル、先端の円錐角度が９０度で成形されているのが好ましい。
【００２２】
同じく、ロッド部が先端に向けて収斂するテーパを形成した単一の先細のシャフトで構成されているのが好ましい。
【００２３】
同じく、ロッド部が先端に向けて収斂するテーパを形成したシャフトとこのシャフトに連続するストレートなシャフトとで構成してもよい。
【００２４】
同じく、ロッド部がストレートな細長い単一のシャフトで構成されていてもよい。
【００２５】
【発明の実施の形態】
以下、本発明の実施の態様を図にもとづいて説明する。
図１，図２，図３，図５に示すように、本発明の実施の形態に係る研削バーＡたるダイヤモンドバーは、より定位を確実にし、拡大された視野の中でより安全にターゲット部のみを除去することを可能にするために、切削部１５を小さくするだけでなく、歯面での滑りを止め、食込み時のブレを可及的に少なくする為に、正面から見て外形を矢尻状又はコマ状に成形し、同時に視界を良くして研削する時に先端切削部で受ける歯質の硬度の変化を確実に手元に伝達出来るように、ロッド部を細く長いスムーズなテーパ形としている。
【００２６】
即ち、各図１，図２，図３，図５に示す研削バーの基本形態は、ハンドピースに装着されるシャンク部１２と、シャンク部１２に連続して設けられたテーパ状のネック部１３と、このネック部１３に連続して設けられて当該ネック部１３より細くて長いロッド部Ｂと、このロッド部Ｂの先端にダイヤモンド粒子が固着されて形成された矢尻状又はコマ状の切削部１５とで構成されている。
【００２７】
この場合、ネック部１３の長さＬ５が１〜６ミリメートル、切削部１５の外径Ｌ１が０．４〜０．６ミリメートル、長さＬ２が０．４〜０．６ミリメートル、先端の円錐角度Ｍが６０度〜１２０度の範囲で成形されていれば使用可能であるが、実際は、ネック部１３の長さＬ５が１．６ミリメートル、切削部１５の外径Ｌ１が０．４７ミリメートル、長さＬ２が０．４７ミリメートル、先端の円錐角度Ｍが９０度で成形されているのが好ましいことが実験結果から明らかになっている。
【００２８】
そして、図１の研削バーＡは、ロッド部Ｂが先端に向けて収斂するテーパを形成した単一の先細のシャフト１３ｂで構成されている。
【００２９】
同じく、図２，図３の研削バーＡは、それぞれロッド部Ｂが先端に向けて収斂するテーパを形成したシャフト１３ｃとこのシャフト１３ｃに連続するストレートなシャフト１３ｄとで構成されている。
【００３０】
この場合、両者の構造は同じであるが、後述するように図３のシャフト１３ｄの方が図２のものより長く形成されている。
【００３１】
この場合に、シャフト１３ｄが長い方が歯質の硬度の変化が手元により明確に伝達されることが臨床的に明らかになっている。
【００３２】
同じく、図５の研削バーＡは、図１の研削バーＡと実質的に同じであるが、この場合はロッド部Ｂがストレートな細長い単一のシャフト１３ｅで構成されている。
【００３３】
図２，図３に示される研削バーＡは、ロッド部Ｂを長くして、エナメル質の裏側の感染象牙質の除去や、細く深い窩洞に到達させるような使用に対応させるのに適切である。
【００３４】
各研削バーＡの全長は使用の用途に応じて任意に長さは選択できる。
【００３５】
即ち、研削バーＡの長さは使用に応じて選択される歯科用ハンドピースの挿入深さが異なるため１７ミリメートルから２５ミリメートルの範囲で成形される。
【００３６】
同じく、使用目的に応じて、ネック部１３とロッド部Ｂとの長さ、太さおよび外形はその都度選択される。
【００３７】
なお、上記粒子として、図４、図６に示すように、例えば、粒径が４０〜５０ミクロンのダイヤモンド粒子１６ａが用いられており、これがニッケルなどの電気メッキ層１６ｂなどにより固着された形態とされている。
【００３８】
又、図４に示すように、研削部１５の長さＬ２は円錐部ａの高さＬ３と円柱部ｂの長さＬ４の合計となり、しかも、円柱部ｂは０〜３度の範囲でストレート又はテーパ状に形成されている。
【００３９】
図１に示す研削バーＡのロッド部Ｂの長さＬ６は７ミリメートルである。
【００４０】
同じく、図２に示す研削バーＡのシャフト１３ｃの長さＬ７が７ミリメートル、シャフト１３ｄより先端側の長さＬ８が２ミリメートルに形成されている。
【００４１】
同じく図３の場合は、シャフト１３ｃの長さＬ９が７ミリメートル、先端側の長さＬ１０が４ミリメートルとなっている。
【００４２】
同じく、図５の場合は図１のものに比べてネック部１３を長くし、ロッド部Ｂを短くしている。
【００４３】
このような本発明の研削バーＡを用いて患部の治療を行う場合には、まず、歯科用ハンドピースにシャンク部１２をチャッキングする。
【００４４】
そして、研削バーＡを超高速で駆動し、口腔内の歯牙のカリエス部に切削部１５を軽く接触させる。
【００４５】
例えば、歯冠における裂溝の一部に切削バーＡの切削部１５先端を置くように接触させる。
【００４６】
この切削部１５は、小さい矢尻状又はコマ状をなすため、治療しようとする部位の一点にブレることなく留まって削り込んでいき、その部分のみを研削することとなる。
【００４７】
従って、拡大された視野において切除予定部以外の部位は研削されない。このとき患部と非患部の違いを指先で感じ取ることが出来る。
【００４８】
また、研削を継続すると切削部１５先端の円錐面は症例に応じて歯冠の内部に進入して、研削面積が拡大し、必要量の研削治療を行うことができる。
【００４９】
さらに、患部が大きい場合には、歯科用ハンドピースを必要な位置に移動することで切削部１５の小円錐面や小幅の円周面が患部を研削し必要最小量の研削を可能とする。
【００５０】
また、切削部１５は、定位が良いので歯面を滑ることがなく、軽く患部に接触するだけで研削できるので、歯科医はハンドピースを握る手や指に余分な力を加わえることがないので、先端の感触をはっきり感じ取ることが出来る。
【００５１】
これによって歯科医はリラックスして治療を行うことが出来る。
【００５２】
また、患部のみを研削するために顕微鏡や拡大鏡により拡大された視野内でカリエス部の研削を行うことが望ましい場合にも、切削部１５が小形であるため患部のポイントへ切削部１５を正確、容易に移動させることができ、健全組織や保存可能な組織を守ることができる。
【００５３】
この場合において、研削バーＡのロッド部Ｂが長く細く形成されているため、視界が十分に確保でき、精度の高い治療作業が容易になる。
【００５４】
特に、ロッド部１３ｂが先端に向かい緩いテーパ状に形成されていることで、切削部１５の上記ポイントの移動も視覚的に楽になる。
【００５５】
その上先端の感触を手元に伝達しやすくなり、二重の効果が得られる。
【００５６】
更に、図２のシャフト１３ｃに連続するストレートなシャフト１３ｄを加えることで到達性が良くなり、歯牙のエナメル質と象牙質との境に広がったカリエスを、切削部１５により表面のエナメル質をできるだけ残しながら象牙質のカリエスを横方向に研削できる。
【００５７】
さらに、細長いロッド部１３端に設けられた短い切削部１５には図６に示すように顎部（段差）１７が形成されるため、このアゴ部１７を用いて健全なエナメル質を大きく拡大することなしに、横に広がるカリエスを容易に研削できる。
【００５８】
また、切削部１５は、０．４７ミリメートルに細く形成されているため、図７（Ａ）に示すように、隣接する歯牙１８、１９の隣接部にできたカリエス部を、他の部位に接触することなく安全かつ効果的に除去することができる。
【００５９】
この場合においても、健全なエナメル質を大きく研削することなく、横に広がるカリエスを除去できる。
【００６０】
尚、図７（Ｂ）に示すように、健全な歯牙１８、１９の隣接面を破壊することなく咬合面より隣接部カリエスの除去を行うトンネリング・オペレーションには切削部１５が小さく定位が良く硬さの違いが感じ取れるので最適である。
【００６１】
【発明の効果】
以上のように、各請求項の本発明によれば、次の効果がある。
より定位を確実にし、拡大された視野の中でより安全にターゲット部のみを除去することを可能にする。
【００６２】
特に、切削部１５の外径を０．４〜０．６ミリメートル、長さを０．４〜０．６ミリメートル、先端の円錐角度を６０〜１２０度の範囲で小さい矢尻状又はコマ状に成形しているから、歯面での不用意な滑りを止め、食込み時のブレを可及的に少なくする。
【００６３】
この矢尻状の研削バーは従来のラウンドタイプと異なり球面ではなく矢尻の頂点付近の円錐面で歯質を捉える形態なので、定位がとても良くなり、求心性も格段に向上する。
【００６４】
そのため、滑沢で滑りやすいエナメル質表面でも滑ることなく確実に切削部１５の定位と求心性が得られ、従来品と比較してほとんど余分な組織を削ることなくターゲット部のみを切削する。
【００６５】
また、細くて長いロッド部を採用しているので、小さく切削することが可能なだけでなく、エナメルデンティン境で急速に象牙質側に広がるカリエスの特性に合わせ、エナメル質内側の感染象牙質をエナメル質に邪魔されずに的確に除去でき、健全なエナメル質をできるだけ保存できる。
【００６６】
切削部の尖端を歯牙に対して定位よく的確に留めて、ブレを生じることなく微小患部を正確かつ軽快に研削でき、さらに歯科用ハンドピースを握る手に余分な力が加わらないようにすることができ、歯科医の作業上の心理的負担を軽減できる。
【００６７】
歯牙のあらゆる微小間隙内に挿入して十分な研削を行うことができ、また、切削部の治療必要部位に対する位置決めを視覚的に容易化でき、更に先端部での硬さの違いがハンドピースを持つ手元に明確に伝達出来るので、不必要部位の研削を回避できるという効果が得られる。
【図面の簡単な説明】
【図１】本発明の一実施形態による研削バーを示す正面図である。
【図２】本発明の他の実施形態による研削バーを示す正面図である。
【図３】本発明の他の実施形態による研削バーを示す正面図である。
【図４】切削部の拡大正面図である。
【図５】本発明の他の実施形態による研削バーを示す正面図である。
【図６】研削バーの拡大断面図である。
【図７】（Ａ），（Ｂ）は本発明の研削バーによる歯牙の研削状況を示す説明図である。
【図８】従来の研削バーを示す正面図である。
【図９】従来の他の研削バーを示す正面図である。
【図１０】従来の他の研削バーを示す正面図である。
【符号の説明】
Ａ　研削バー
Ｂ　ロッド部
１２　シャンク部
１３　ネック部
１５　切削部
【図１】
2004016400.tif 000003
【図２】
2004016400.tif 000004
【図３】
2004016400.tif 000005
【図４】
2004016400.tif 000006
【図５】
2004016400.tif 000007
【図６】
2004016400.tif 000008
【図７】
2004016400.tif 000009
【図８】
2004016400.tif 000010
【図９】
2004016400.tif 000011
【図１０】
2004016400.tif 000012